(57)【要約】      （修正有）【課題】バックパックに関し、詳細には、自転車乗りのための適切な位置に維持できるバックパックを提供する。【解決手段】本体１０５と、少なくとも１つの緩衝肩ストラップ１１０と、少なくとも１つの緩衝肩ストラップ１１０の遠位部分を本体１０５にそれぞれ接続する少なくとも２つの安定ストラップ１２０とを備える。少なくとも２つの結合ストラップ１２０は、少なくとも１つの緩衝肩ストラップ１１０の近位部分の位置を調整するように適合される。【選択図】図１
2018134390.tif 000002
【特許請求の範囲】
【請求項１】
ａ．本体と、
ｂ．少なくとも１つの緩衝肩ストラップと、
ｃ．前記少なくとも１つの緩衝肩ストラップの遠位部分を前記本体にそれぞれ接続する少なくとも２つの安定ストラップと
を備える、バックパック。
【請求項２】
前記少なくとも２つの安定ストラップが、第１および第２の安定固定部において前記本体に接続され、前記第１の安定固定部が、前記第２の安定固定部よりも前記緩衝肩ストラップの近位部分に接近して配置されている、請求項１に記載のバックパック。
【請求項３】
前記第１の安定固定部が、前記バックパックを使用する装着者の胸部領域に配置される、請求項２に記載のバックパック。
【請求項４】
前記第２の安定固定部が、前記バックパックを使用する装着者の腰部領域に配置される、請求項２または３に記載のバックパック。
【請求項５】
前記第１の安定固定部と前記第２の安定固定部との間の距離が、前記第１の安定固定部と前記少なくとも１つの緩衝肩ストラップの前記近位部分との間の距離よりも短い、請求項２から４のいずれか一項に記載のバックパック。
【請求項６】
前記少なくとも２つの安定ストラップが、前記本体から前記少なくとも１つの緩衝肩ストラップの前記遠位部分まで延在して前記本体に戻る単一のストラップとして設けられる、請求項１から５のいずれか一項に記載のバックパック。
【請求項７】
前記少なくとも２つの安定ストラップの長さのうちの少なくとも１つが調整可能である、請求項１から６のいずれか一項に記載のバックパック。
【請求項８】
ａ．本体と、
ｂ．少なくとも１つの緩衝肩ストラップと、
ｃ．前記少なくとも１つの緩衝肩ストラップの近位部分を前記本体にそれぞれ接続する少なくとも２つの結合ストラップと
を備え、
ｄ．前記少なくとも２つの結合ストラップが、前記少なくとも１つの緩衝肩ストラップの前記近位部分の位置を調整するように適合される、
バックパック。
【請求項９】
前記少なくとも２つの結合ストラップが、前記少なくとも１つの緩衝肩ストラップの長手方向の伸張に直交する横方向に対して、前記少なくとも１つの緩衝肩ストラップの前記近位部分の位置を調整するように適合される、請求項８に記載のバックパック。
【請求項１０】
前記少なくとも２つの結合ストラップが、第１および第２の結合固定部において前記本体に接続される、請求項８または９に記載のバックパック。
【請求項１１】
前記結合固定部のうちの少なくとも１つが、前記本体の内表面上に配置される、請求項１０に記載のバックパック。
【請求項１２】
前記少なくとも２つの結合ストラップが、前記本体から前記少なくとも１つの緩衝肩ストラップの前記近位部分まで延在して前記本体に戻る単一のストラップとして設けられる、請求項８から１１のいずれか一項に記載のバックパック。
【請求項１３】
結合ストラップの第１および第２の対を備え、前記第１の対が、第１の緩衝肩ストラップの近位部分と前記本体とに接続され、前記第２の対が、第２の緩衝肩ストラップの近位部分と前記本体とに接続される、請求項８から１２のいずれか一項に記載のバックパック。
【請求項１４】
前記第１の対の結合ストラップが、前記第２の対の結合ストラップに接続される、請求項１３に記載のバックパック。
【請求項１５】
前記接続が、前記本体の内表面上に配置される、請求項１４に記載のバックパック。
【請求項１６】
前記少なくとも２つの結合ストラップの長さのうちの少なくとも１つが調整可能である、請求項８から１５のいずれか一項に記載のバックパック。
【請求項１７】
請求項８から１６のいずれか一項に記載の特徴をさらに備える、請求項１から７のいずれか一項に記載のバックパック。
【請求項１８】
前記本体が、背面パネルを備える、請求項１から１７のいずれか一項に記載のバックパック。
【請求項１９】
少なくとも２つの緩衝肩ストラップ、および前記少なくとも２つの緩衝肩ストラップを接続する少なくとも１つの支持ストラップを備える、請求項１から１８のいずれか一項に記載のバックパック。
【発明の詳細な説明】
【技術分野】
【０００１】
本発明は、バックパックに関し、詳細には、自転車乗りのためのバックパックに関する。
【背景技術】
【０００２】
近年、スポーツ用途のためのバックパックは、ますます普及してきた。バックパックは、多くの異なるスポーツに有用であるが、特に、ハイキングや自転車乗りなどの屋外活動に有用である。装着者の背中の上でバックパックを快適に支えるために、緩衝肩ストラップ（cushioning shoulder strap）、例えば、バックパックの装着者の肩にわたって延在する緩衝材料を備えるストラップを設けることが知られている。
【０００３】
例えば、米国特許出願公開第２０１１／０２９０８４３号明細書は、凸状の背面パネルを有するバックパックを開示しており、このバックパックの凸状の背面パネルは、バックパックと装着者の背中との間の接触を最小限に抑えるために、装着者の背中の中心から外方に湾曲し得る。バックパックは、バックパックを装着者の背中に固定するために、凸状の背面パネルに動作可能に接続された１対の肩ストラップを有し得る。
【０００４】
さらに、米国特許第６，１６４，５０９号明細書は、ブックパック（bookpack）の重心をブックパックのより高い位置にまた装着者の身体により近い位置に移動させて、装着者の肩が負担する本の荷重を身体および背中のより長い部分に沿って有意に再分配する働きをする、一連の上部ストラップ、側部ストラップ、底部ストラップ、および任意選択の支持部材を含む、人間工学的なブックパックを開示している。
【０００５】
しかし、従来技術で知られているバックパックは、装着者の背中の上でのそれらの位置の最適かつ確実な調整を可能にしない。しかし、バックパックが重力および突然の衝撃によってもたらされる大きな力を受ける、ダウンヒルバイキングなどのパフォーマンスを重視する用途にとって、最適かつ確実な調整は非常に重要である。
【先行技術文献】
【特許文献】
【０００６】
【特許文献１】米国特許出願公開第２０１１／０２９０８４３号明細書
【特許文献２】米国特許第６，１６４，５０９号明細書
【発明の概要】
【発明が解決しようとする課題】
【０００７】
したがって、本発明の根本的な課題は、バックパックをさらに最適化して、装着者の背中の上でのバックパックの確実な位置決めに関する上記概要の問題を少なくとも部分的に克服することである。
【課題を解決するための手段】
【０００８】
上述の課題は、独立請求項に記載のバックパックによって少なくとも部分的に解決される。有利な実施形態が、従属請求項に含まれる。請求項１およびその従属請求項に記載のいかなるバックパックも、独立請求項８およびその従属請求項に記載のバックパックの特徴をもさらに含み得ることが、留意されるべきである。
【０００９】
本発明の第１の態様は、本体と、少なくとも１つの緩衝肩ストラップと、少なくとも１つの緩衝肩ストラップの遠位部分を本体にそれぞれ接続する少なくとも２つの安定ストラップとを備える、バックパックに関する。本発明において、少なくとも１つの緩衝肩ストラップは、本体により近い近位部分と、本体からより離れた遠位部分とを有する。したがって、緩衝肩ストラップの近位部分はまた、装着者の肩に隣接する緩衝肩ストラップの上方部分と見なしてもよく、遠位部分は、緩衝肩ストラップの下方部分と見なしてもよい。
【００１０】
ダウンヒルバイキングなどのスポーツ用途中でのバックパックの位置のいかなる不要な変化も、装着者のパフォーマンスを損なうことになる。本発明者らは、緩衝肩ストラップのために２つの安定ストラップを提供することが、バックパックを装着者の背中の上でその適切な位置にしっかりとかつ快適に維持するのに十分であることを理解した。したがって、装着者の背中の上でのそのようなバックパックの意図的でない運動、例えば装着者の頭部に向かう運動が、確実に回避され得る。
【００１１】
少なくとも２つの安定ストラップは、第１および第２の安定固定部において本体に接続されてもよく、第１の安定固定部は、第２の安定固定部よりも緩衝肩ストラップの近位部分に接近して配置され得る。例えば、バックパックが装着者の背中の上で使用されるときに、第１の安定固定部は、第２の安定固定部よりも装着者の肩に接近して配置され得る。安定ストラップの安定固定部のそのような配置は、バックパックの確実な位置決めをさらに最適化し得る。
【００１２】
いくつかの実施形態では、バックパックが装着者の背中の上で使用されるときに、第１の安定固定部は、装着者の胸部領域に配置され得る。さらに、第２の安定固定部は、装着者の腰部領域に配置され得る。したがって、第１の安定固定部は、バックパックの中間部分に配置され、第２の安定固定部は、バックパックの下方部分に配置され得る。これらの実施形態は、装着者の胸部領域にある安定ストラップと装着者の腋窩との間の距離が、従来のバックパックのストラップの場合よりも遙かに短くなるので、装着者の背中に沿ったバックパックの望ましくない運動を回避するのにさらに役立つ。したがって、強い外力を伴うダウンヒルバイキングのようなスポーツ用途においても、説明されたバックパックは、本質的に、装着者の背中の上で調整された位置に留まることができる。
【００１３】
いくつかの実施形態では、第１の安定固定部と第２の安定固定部との間の距離は、第１の安定固定部と少なくとも１つの緩衝肩ストラップの近位部分との間の距離よりも短くなり得る。例えば、バックパックが装着者の背中の上で使用されるときに、第１の安定固定部と第２の安定固定部との間の距離は、第１の安定固定部と装着者の肩に隣接する本体の上端部との間の距離よりも短くなり得る。本発明者らは、そのような幾何形状がバックパックの所望の位置の確実な調整をさらに向上させることに気づいた。
【００１４】
いくつかの実施形態では、少なくとも２つの安定ストラップは、本体から少なくとも１つの緩衝肩ストラップの遠位部分まで延在して本体に戻る単一のストラップとして設けられ得る。２つの安定ストラップを単一のストラップとして設けることにより、単純かつ費用効率の良い構造が提供され得る。さらに、安定ストラップを容易に調整すること、例えば、単一のストラップ全体を縮めることにより２つの安定ストラップを簡単に同時に締め付けることが可能になる。
【００１５】
本発明の別の態様は、本体と、少なくとも１つの緩衝肩ストラップと、少なくとも１つの緩衝肩ストラップの近位部分を本体にそれぞれ接続する少なくとも２つの結合ストラップとを備える、バックパックに関する。少なくとも２つの結合ストラップは、少なくとも１つの緩衝肩ストラップの近位部分の位置を調整するように適合される。さらに、少なくとも２つの結合ストラップは、少なくとも１つの緩衝肩ストラップの長手方向の伸張に直交する横方向に対して、少なくとも１つの緩衝肩ストラップの近位部分の位置を調整するように適合され得る。
【００１６】
上述の従来技術では、緩衝肩ストラップは、いかなる調整の可能性も伴わずに本体に取り付けられるが、本発明の実施形態は、装着者の背中上でのバックパックの位置を調整することおよび装着者の快適性を向上させることに対して、根本的に新しい手法を提供する。２つの結合ストラップを有することにより、緩衝肩ストラップの近位部分の位置を、より締まったフィット感を得るためだけではなく、他の方向、例えば横方向にも調整して、様々な肩幅に適応することが可能になる。
【００１７】
いくつかの実施形態では、少なくとも２つの結合ストラップは、第１および第２の結合固定部において本体に接続され得る。第１および第２の結合固定部のうちの少なくとも１つは、本体の内表面上に配置されることが好ましい。
【００１８】
いくつかの実施形態では、少なくとも２つの結合ストラップは、本体から少なくとも１つの緩衝肩ストラップの近位部分まで延在して本体に戻る単一のストラップとして設けられ得る。安定ストラップと同様に、そのような構造は、製造費用を削減し、かつ、より容易な締付けを可能にする。
【００１９】
いくつかの実施形態では、バックパックは、結合ストラップの第１および第２の対を備えることができ、第１の対は、第１の緩衝肩ストラップの近位部分と本体とに接続され、第２の対は、第２の緩衝肩ストラップの近位部分と本体とに接続される。さらに、第１の対の結合ストラップは、第２の対の結合ストラップに接続され得る。同様に、そのような配置は、減少した数の結合ストラップだけが調整されればよくなるので、製造およびフィット感の調整（adjustment of the fit）を容易にする。
【００２０】
さらに、結合ストラップの第１の対と第２の対との接続は、本体の内表面上に配置され得る。そのような配置は、バックパックの装着者が樹木や茂みに接触し得るので危険な状況にさらされ得る、ダウンヒルバイキングまたはバックカントリースノーボーディングなどのスポーツ用途中に、結合ストラップの第１の対と第２の対との間の確実な接続が故意ではなく分離することを回避することができる。
【００２１】
いくつかの実施形態では、本体は、背面パネルを備え得る。そのような背面パネルは、バックパックの本体に支持を提供することができ、かつ、バックパックと装着者の背中との間の接触を最小限に抑えることができる。結果として、耐久性および通気性のあるバックパックが、スポーツ用途に提供され得る。
【００２２】
いくつかの実施形態では、少なくとも２つの安定ストラップの長さのうちの少なくとも１つは、調整可能とされ得る。さらに、少なくとも２つの結合ストラップの長さのうちの少なくとも１つは、調整可能とされ得る。そのような実施形態は、最適化された装着者の快適性が得られ得るように、装着者の背中の上でのバックパックの位置の多様な調整に対してより多くの度合いを提供する。
【００２３】
いくつかの実施形態では、バックパックは、２つの緩衝肩ストラップ、および２つの緩衝肩ストラップを接続する少なくとも１つの支持ストラップを有し得る。支持ストラップは、安定ストラップおよび／または結合ストラップと協働して、２つの緩衝肩ストラップを装着者の背中上の快適かつ確実な位置に維持する。
【００２４】
以下において、添付の図面を参照しながら、本発明の態様をより詳細に説明する。
【図面の簡単な説明】
【００２５】
【図１】装着者によって装着された本発明によるバックパックの可能な実施形態の図である。
【図２Ａ】本発明によるバックパックのさらなる可能な実施形態の図である。
【図２Ｂ】本発明によるバックパックのさらなる可能な実施形態の図である。
【図２Ｃ】本発明によるバックパックのさらなる可能な実施形態の図である。
【図３】本発明によるバックパックのなおもさらなる可能な実施形態の図である。
【発明を実施するための形態】
【００２６】
スポーツ用途のための、特にダウンヒルバイキングのためのバックパックを参照しながら、本発明の可能な実施形態および変形形態を以下で説明する。しかし、本発明の概念は、スノーボーディングまたはバックカントリースノーボーディング、スキーまたはクロスカントリースキー、スケートボーディングまたはロングボーディング、ハイキング、ランニング（例えば、ハイドレーションパックとして）、等のような、バックパックが使用可能かつ有用であるあらゆる種類のスポーツ用途に、等しくまたは同様に適用され得る。さらに、本発明の基本的な原理は、ナップサック、リュックサック、単一ストラップのパック、訓練用バックパック、デイパック、太陽電池パネルを備えた高性能バックパック、モブパック（movpack）、通勤用バックパック、パック、外部フレームもしくは内部フレームのパック、ウェストポーチ、またはサックパックなどの、日常生活または旅行において物品または重量物を運ぶための任意のバックパックの他に、軍事用バックパック、ペイントボールおよびエアソフトなどのミリタリースタイルの戦闘ゲーム中に弾薬を支給するための戦術的バックパック、ナイフと、調理器具と、ノート、タオル、および制服などの他の雑多な用具とを運ぶためのプロの料理人および料理学校生のために設計された専門家用バックパック、または、野火消火活動を行う消防隊および捜索救助を行う救助隊のための他の専門家用バックパックなどの、専門的用途のための任意のバックパックにも、適用され得る。さらに、本発明は、バックパックに限定されるものではなく、メッセンジャーバッグ、ブックバッグ、ショッピングバッグ（例えば、高級品の小売業者によって使用される）、旅行鞄、ハンドバッグ、通学鞄またはスーツケース、学生鞄、スリングバッグ、郵便配達鞄、ダッフルバッグ、等のような、物品を搬送するための任意のタイプの入れ物に適用され得る。
【００２７】
さらに、簡潔さのために、限られた数の実施形態だけが以下で説明される。しかし、当業者であれば、これらの実施形態を参照して説明される特定の特徴は別様に修正および組み合わせられ得ること、ならびに、特定の実施形態のいくつかの態様もまた省略され得ることを、認識するであろう。さらに、これに続く詳細な説明で説明される態様は、上記概要の節で説明された態様と組み合わせられ得ることが、留意される。
【００２８】
図１は、装着者１０２によって装着された本発明によるバックパック１００の可能な実施形態を、正面図、背面図、および側面図で提示する。本発明の第１の態様によれば、バックパック１００は、本体１０５と、本体１０５の荷重を和らげるように適合された２つの緩衝肩ストラップ１１０と、各緩衝肩ストラップ１１０の遠位部分を本体１０５にそれぞれ接続する２対の安定ストラップ１２０とを備える。一般に、緩衝肩ストラップ１１０は、本体１０５により近い近位部分と本体１０５からより離れた遠位部分とを含む細長い形状を有する。図１に示されるように、遠位部分は、装着者の肩から遠位にある、緩衝肩ストラップ１１０の下方部分として見なされ得る。安定ストラップ１２０のそれぞれは、バックパック１００が装着者１０２によって装着されたときに、装着者１０２の腋窩の下方および装着者１０２の腕１０３と体側との間に延在するように適合されることが好ましい。結果として、本体１０５は、特にダウンヒルバイキングなどのスポーツ用途中に、所望の位置に維持され、それにより、装着者の背中の上でのバックパック１００の確実な位置決めが提供される。
【００２９】
本出願において、用語「本体」は、バックパックに詰め込まれた物品を収容し、また、通常は装着者の背中の上に装着される、バックパックの一部分として理解される。本体は、物品を格納するために閉じられ得る、少なくとも１つの区画および／またはポケットを備え得る。
【００３０】
図１における好ましい実施形態の側面図から見て取れるように、上部の安定ストラップ１２０が、装着者１０２の胸部領域に配置される第１の安定固定部１２１ａ（図１では破線の円によって示される）において、本体１０５に接続される。さらに、下部の安定ストラップ１２０が、装着者１０２の腰部領域に配置される第２の安定固定部１２１ｂ（同じく破線の円によって示される）において、本体１０５に接続される。第１の安定固定部１２１ａは、第２の安定固定部１２１ｂよりも装着者１０２の肩に接近して配置される。第１の安定固定部１２１ａと第２の安定固定部１２１ｂとの間の距離は、第１の安定固定部１２１ａと本体１０５の上端部との間の距離よりも短い。図１に示されるように、バックパック１００が装着者の背中の上に装着されたときに、本体１０５の上端部は、装着者の肩に隣接する本体の一部分になり得る。安定固定部は、図２Ａ〜２Ｃを参照してより詳細に説明される。スポーツ用途のための装着者の背中の上でのバックパック１００の確実な位置決めを向上させるために、バックパック１００上での安定固定部の任意の他の適切な配置を提供することも考えられる。
【００３１】
図１の好ましい実施形態では、バックパック１００は、２つの緩衝肩ストラップ１１０を接続する支持ストラップ１５０をさらに備える。図３を参照して以下で説明されるように、本発明によるバックパックが２つ以上の支持ストラップ１５０を備え得ることも考えられる。支持ストラップ１５０は、４つの安定ストラップ１２０と協働して、２つの緩衝肩ストラップ１１０を装着者の背中上の快適かつ確実な位置に維持し得る。
【００３２】
１つの実施形態では、緩衝肩ストラップ１１０は、管状のニットウェアを含み得る。管状のニットウェアは、管状のニットウェアによって形成された空洞内に対応する挿入物を配置することによる容易な詰物入れ（padding）または緩衝を可能にする。
【００３３】
図２Ａ〜２Ｃは、本発明によるバックパック２００のさらなる可能な実施形態を提示する。図２Ａは、バックパック２００を、背面図、正面図、および側面図で提示する。図２Ｂは、本発明の第２の態様を説明するために、バックパック２００の詳細な正面図を提示し、図２Ｃは、本発明の第１の態様を説明するために、バックパック２００の特定の実施形態を側面図で提示する。
【００３４】
図２Ａの好ましい実施形態では、バックパック２００は、本体２０５と、本体２０５の荷重を和らげるように適合された２つの緩衝肩ストラップ２１０と、各緩衝肩ストラップ２１０の遠位部分２１１を本体２０５にそれぞれ接続する２対の安定ストラップ２２０とを備える。安定ストラップ２２０の配置は、安定ストラップ２２０のそれぞれが伸張されたときに「Ｖ」形状を形成することができ、緩衝肩ストラップ２１０の遠位部分２１１は、「Ｖ」形状の先端に位置する。
【００３５】
図２Ａの好ましい実施形態では、各緩衝肩ストラップ２１０の遠位部分２１１を本体２０５にそれぞれ接続する安定ストラップ２２０は、本体２０５から緩衝肩ストラップ２１０の遠位部分２１１まで延在して本体２０５に戻る単一の安定ストラップ２２０として設けられている。安定ストラップ２２０の上方部分が、第１の安定固定部２２１ａにおいて本体２０５に接続され、安定ストラップ２２０の下方部分が、第２の安定固定部２２１ｂにおいて本体２０５に接続される。第１の安定固定部２２１ａおよび第２の安定固定部２２１ｂは、図１に示された上記で説明された実施形態と同様に、例えばバックパック２００を装着する装着者の胸部および腰部の領域に配置され得る。
【００３６】
図２Ａから見て取れるように、バックパック２００はまた、各緩衝肩ストラップ２１０の近位部分２１２と本体２０５とをそれぞれ接続する、２対の結合ストラップ２３０を備える。同様に、緩衝肩ストラップ２１０は、本体２０５により近い近位部分２１２と本体２０５からより離れた遠位部分２１１とを含む細長い形状を有する。図２Ａに示されるように、緩衝肩ストラップ２１０の近位部分２１２は、装着者の肩に隣接する緩衝肩ストラップ２１０の上方部分として見なされ得る。結合ストラップ２３０は、各緩衝肩ストラップ２１０の近位部分２１２の位置を調整するように適合され得る。さらに、結合ストラップ２３０は、各緩衝肩ストラップ２１０の長手方向の伸張に直交する横方向に対して、各肩ストラップの近位部分２１２の位置を調整するように適合され得る。
【００３７】
さらに、結合ストラップ２３０のそれぞれは、第１および第２の結合固定部（図２Ａには図示せず）において本体に接続され得る。結合固定部のうちの少なくとも１つは、本体２０５の内表面上に配置されることが好ましい。結合ストラップ２３０の配置もまた、結合ストラップ２３０のそれぞれが伸張されたときに「Ｖ」形状を形成することができ、緩衝肩ストラップ２１０の近位部分２１２は、「Ｖ」形状の先端に位置する。結合ストラップ２３０およびそれらの固定部は、図２Ｂにおいてより詳細に説明される。
【００３８】
本体２０５、および様々なストラップのうちの少なくとも１つは、可屈曲性、伸縮性（例えば、ヤング係数として表される）、空気に対する透過性／通気性、水に対する透過性、熱伝導性（thermoconductivity）、熱容量、吸湿、静止摩擦、耐摩耗性、補強、硬さ、ならびに厚さ、等を含む所望の特性または機能を得るために、様々な技法によって少なくとも部分的に製造され得る。空気に対する透過性および通気性は、例えば、より開いたメッシュ様またはウェブ様の構造を編むことによって得られてもよい。例えば、編成技法（例えば、横編み繊維製品、単一糸の縦編み繊維製品、縦編み繊維製品、３次元的な編成、機能的な編成（functional knitting）、等）を使用することにより、これは、繊維およびヤーンの選択、繊維、ヤーン、またはニットウェアをポリマーまたは他の材料で被覆すること、モノフィラメントの使用、モノフィラメントとポリマー被覆との組合せ、可溶性の／溶融されるヤーンの適用、ならびに多層テキスタイル材料を含み得る。一般に、ニットウェアの製造に使用されるヤーンは、それに応じて備えられてもよく、すなわち、被覆されてもよい。さらに、またはその代わりに、完成したニットウェアは、それに応じて備えられてもよい。当業者によって知られているような任意の他の適切な技法を使用することも考えられる。
【００３９】
本体２０５は、被覆される少なくとも１つの領域を備え得る。被覆は、例えば、撥水性または耐摩耗性を提供し得る。領域は、熱可塑性ポリウレタン（ＴＰＵ）被覆で被覆されてもよい。ＴＰＵは、取扱いおよび塗布がかなり容易である。さらに、またはその代わりに、領域は、紫外線（ＵＶ）接着剤で被覆されてもよい。ＵＶ接着剤は、液体形態で塗布されて、光化学過程によりＵＶ光下で硬化し得る。一般に、他の被覆も同様に使用され得る。
【００４０】
さらに、本体２０５、および様々なストラップのうちの少なくとも１つは、好ましくは防水材料に由来する、また特に好ましくはプラスチックファブリック（plastic fabric）、例えばＣｏｒｄｕｒａ（登録商標）に由来する柔軟な材料を含み得る。本体の部品はまた、剛体のまたは湾曲可能な硬質材料を含み得る。さらに、またはその代わりに、本体２０５は、様々な材料を有する様々な領域、例えば、本体２０５の補強のための適切な繊維製品を含み得る領域２０６を備え得る。
【００４１】
安定固定部２２１ａ、２２１ｂ、および／または結合固定部は、縫着、バックル、リング、または様々なストラップを本体２０５に接続および取付けすることが可能な任意のタイプの接続もしくは締結要素のうちの少なくとも１つを含み得る。
【００４２】
バックパック２００は、２つの緩衝肩ストラップ２１０を接続する支持ストラップ２５０をさらに備える。支持ストラップ２５０は、上記で説明された支持ストラップ１５０と同じように機能し得る。
【００４３】
１つの実施形態では、肩ストラップ２１０は、例えば装着者が女性である場合に、装着者の胸部を回り込むように適合された凸形状を備え得る。凸形状を備える肩ストラップ２１０は、安定ストラップ２２０、結合ストラップ２３０、および支持ストラップと協働して、装着者の身体の周りでの肩ストラップの最適化された位置を提供することができ、したがってバックパック２００の快適な装着体験を提供することができる。
【００４４】
なおもさらなる実施形態では、少なくとも１つの緩衝肩ストラップ２１０の遠位部分または下方部分は、装着者の前胴領域上に配置され得る。
【００４５】
図２Ａから見て取れるように、バックパック２００は、少なくとも１つの持ち手、例えば１つの持ち手２５５をさらに備え得る。これは、バックパック２００が片手で容易に持ち運ばれることを可能にする。持ち手２５５は、バックパック２００の本体２０５と一体に編成されてもよい。このようにして、持ち手２５５を作製してそれをバックパック２００に取り付ける追加の製造ステップが省略される。持ち手２５５を提供するための追加の尽力および費用が削減される。
【００４６】
さらに、バックパック２００は、背面パネル２６０を備え得る。バックパックが、前パネル、１つまたは複数の側面パネルなどの、本体２０５を形成しおよび／または補強し得る少なくとも１つの追加のパネルをさらに含み得ることも、考えられる。
【００４７】
１つの実施形態では、固定部のうちの少なくとも１つは、バックパック２００の背面パネル２６０上に配置され得る。さらに、またはその代わりに、固定部は、バックパックの背面パネル２６０と１つの側面パネルとの間の縁部に配置されてもよい。さらに、背面パネル２６０は、装着者の背中のより良好な通気性を提供し得る、少なくとも１つの突出部または開口部２７０を備えてもよい。さらに、またはその代わりに、背面パネル２６０は、バックパック２００の装着者により多くの快適性を提供する、緩衝材料によって覆われた少なくともいくつかの領域を備えてもよい。
【００４８】
図２Ａから見て取れるように、バックパック２００は、本体２０５の部分またはポケットを閉じるための３つのジッパ２８０を備える。ジッパ２８０の代わりに、スナップ式ボタン、マジックテープ（登録商標）式ファスナ、または磁気クロージャなどの、本体２０５を閉じる他の手段が使用されてもよい。本体２０５は、閉被機構を備えなくてもよい。
【００４９】
図２Ｂは、バックパック２００の結合ストラップ２３０の詳細な図を提示する。本体２０５の部品は取り除かれており、そのため、この図に示された本体２０５は、背面パネル２６０のみを含む。
【００５０】
図２Ｂから見て取れるように、バックパック２００は、結合ストラップ２３０の第１および第２の対を備え、第１の対は、第１の緩衝肩ストラップ２１０（例えば、左側のもの）の近位部分と背面パネル２６０とに接続されており、第２の対は、第２の緩衝肩ストラップ２１０（例えば、右側のもの）の近位部分と背面パネル２６０とに接続されている。
【００５１】
上述のように、結合ストラップ２３０は、各緩衝肩ストラップ２１０の近位部分２１２と背面パネル２６０とをそれぞれ接続し、ここで、結合ストラップ２３０は、各緩衝肩ストラップ２１０の近位部分２１２の位置を調整するように適合されている。具体的には、結合ストラップ２３０は、各緩衝肩ストラップ２１０の長手方向の伸張（破線の矢印によって示される）に本質的に直交する横方向（２つの両頭矢印によって示される）において各肩ストラップの近位部分２１２の位置を調整するように適合され得る。結合ストラップ２３０は、例えば、結合ストラップ２３０のうちの１つの少なくとも１つの長さを調整することによって、調整され得る。
【００５２】
さらに、各緩衝肩ストラップ２１０に対して、少なくとも２つの結合ストラップ２３０が、本体２０５から各緩衝肩ストラップ２１０の近位部分２１２まで延在して本体２０５に戻る単一のストラップとして設けられ得る。例えば、結合ストラップ２３０（例えば、左側のもの）は、第１の結合固定部（図２Ｂには図示せず）および第２の結合固定部２３１において本体に接続され得る。図２Ｂに示されるように、本体２０５は、少なくとも１つの開口をさらに備えることができ、その結果、結合ストラップ２３０は、開口を通って延在して、背面パネル２６０上および本体２０５の内表面上に配置された第２の結合固定部２３１において本体に接続する。上述のように、そのような構造は、製造費用を削減し、かつ、結合ストラップのより容易な調整、例えば締付けを可能にする。
【００５３】
さらに、第１の対の結合ストラップ２３０は、第２の対の結合ストラップ２３０に接続されてもよく、その接続は、本体２０５の内表面上、例えば背面パネル２６０の内側上に配置され得る。上述のように、そのような配置は、減少した数の結合ストラップ２３０だけが調整されればよくなるので、製造およびフィット感の調整を容易にする。
【００５４】
図２Ｂの好ましい実施形態では、第２の結合固定部２３１は、バックルとして、また裁縫によって設けられ、結合ストラップ２３０は、結合ストラップ２３０の長さを柔軟に調整することができるように、リングを介して緩衝肩ストラップ２１０の近位部分に接続される。
【００５５】
図２Ｃは、本発明の第１の態様によるバックパック２００の特定の実施形態を、側面図で提示する。
【００５６】
上述のように、各緩衝肩ストラップ２１０の遠位部分２１１を本体２０５にそれぞれ接続する安定ストラップ２２０は、本体２０５から緩衝肩ストラップ２１０の遠位部分２１１まで延在して本体２０５に戻る単一の安定ストラップ２２０として設けられている。
【００５７】
安定ストラップ２２０は、第１の安定固定部２２１ａおよび第２の安定固定部２２１ｂにおいて本体２０５に接続される。ここで、安定固定部２２１ａおよび２２１ｂは、本体２０５への安定ストラップ２２０の縫着を含み、安定ストラップ２２０は、リングを介して緩衝肩ストラップ２１０の遠位部分に接続される。第２の安定固定部２２１ｂにバックルが位置決めされる。そのような配置により、安定ストラップ２２０の長さは、バックルおよびリングを通じて調整することができる。例えば、安定ストラップ２２０は、リングを通って滑ることができ、安定ストラップ２２０の下方部分は、安定ストラップの上方部分よりも長くまたは短くなることができる。
【００５８】
第１の安定固定部２２１ａおよび第２の安定固定部２２１ｂはバックパック２００の長手方向に対して配置され得る。図２Ａに示された実施形態では、安定固定部２２１ａ、２２１ｂは、バックパック２００の下方部分にあり、互いに垂直方向に離間されている。第１の安定固定部２２１ａは、使用時に装着者の肩に隣接し得るバックパックの上端部により接近している。第２の安定固定部２２１ｂは、バックパックの上端部からより離れている。
【００５９】
第１の安定固定部２２１ａおよび第２の安定固定部２２１ｂは、この場合もやはり、それらが装着者の腋窩の下方およびバックパック２００の装着者の腕と身体側との間に延在して本体２０５を所望の位置に維持するように、バックパック２２０の装着者の胸部および腰部の領域に配置され得る。
【００６０】
図２Ｃから見て取れるように、バックパック２００は、バックパック２００を装着者の背中および腰部上にしっかりと位置決めするための腰ベルト２９０をさらに備え得る。腰ベルト２９０は、上述の支持ストラップ２５０と同様に、閉じるための手段をさらに含み得る。
【００６１】
図３は、本発明によるバックパック３００のさらなる可能な実施形態を、正面図および側面図で提示する。バックパック３００は、図１〜２Ｃに示されたようなバックパック１００および２００と同様の特徴を備え得る。
【００６２】
図３の好ましい実施形態では、２つの緩衝肩ストラップ３１０は、緩衝メッシュ材料を含む。そのような実施形態は、バックパック３００の装着者により良好な通気性を提供し、また、より高温での使用などの、スポーツ用途にとって有利である。さらに、またはその代わりに、本体の背面パネルもまた、メッシュを含むことができる。
【００６３】
さらに、バックパック３００は、２つの緩衝肩ストラップ３１０を装着者の背中上の快適な位置に維持するために、安定ストラップ３２０と協働する２つの支持ストラップ３５０を備える。例えば、緩衝肩ストラップ３１０間の距離は、緩衝肩ストラップ３１０がもはや互いに接近しないように、装着者が安定ストラップ３２０のうちの少なくとも１つの長さを調整するときに増大されてもよい。この場合、支持ストラップ３５０は、２つの緩衝肩ストラップ３１０の適切な距離を提供するように、したがって、装着者の背中上でのバックパックの最適化された位置を維持するように、調整され得る。
【００６４】
以下において、本発明の理解を容易にするために、さらなる実施形態が説明される。
【００６５】
実施形態１
ａ．本体（１０５、２０５）と、
ｂ．少なくとも１つの緩衝肩ストラップ（１１０、２１０、３１０）と、
ｃ．少なくとも１つの緩衝肩ストラップ（１１０、２１０、３１０）の遠位部分（２１１）を本体（１０５、２０５）にそれぞれ接続する少なくとも２つの安定ストラップ（１２０、２２０、３２０）と
を備える、バックパック（１００、２００、３００）。
【００６６】
実施形態２
少なくとも２つの安定ストラップ（１２０、２２０、３２０）が、第１の安定固定部（１２１ａ、２２１ａ、３２１ａ）および第２の安定固定部（１２１ｂ、２２１ｂ、３２１ｂ）において本体（１０５、２０５）に接続され、第１の安定固定部（１２１ａ、２２１ａ、３２１ａ）が、第２の安定固定部（１２１ｂ、２２１ｂ、３２１ｂ）よりも緩衝肩ストラップ（１１０、２１０、３１０）の近位部分（２１２）に接近して配置されている、実施形態１に記載のバックパック。
【００６７】
実施形態３
第１の安定固定部（１２１ａ、２２１ａ、３２１ａ）が、バックパックを使用する装着者（１０２）の胸部領域に配置される、実施形態２に記載のバックパック（１００、２００、３００）。
【００６８】
実施形態４
第２の安定固定部（１２１ｂ、２２１ｂ、３２１ｂ）が、バックパックを使用する装着者の腰部領域に配置される、実施形態２または３に記載のバックパック（１００、２００、３００）。
【００６９】
実施形態５
第１の安定固定部（１２１ａ、２２１ａ、３２１ａ）と第２の安定固定部（１２１ｂ、２２１ｂ、３２１ｂ）との間の距離が、第１の安定固定部（１２１ａ、２２１ａ、３２１ａ）と少なくとも１つの緩衝肩ストラップ（１１０、２１０、３１０）の近位部分（２１２）との間の距離よりも短い、実施形態２から４のいずれか１つに記載のバックパック（１００、２００、３００）。
【００７０】
実施形態６
少なくとも２つの安定ストラップ（１２０、２２０、３２０）が、本体（１０５、２０５）から少なくとも１つの緩衝肩ストラップ（１１０、２１０、３１０）の遠位部分２１１まで延在して本体（１０５、２０５）に戻る単一のストラップとして設けられる、実施形態１から５のいずれか１つに記載のバックパック（１００、２００、３００）。
【００７１】
実施形態７
少なくとも２つの安定ストラップ（１２０、２２０、３２０）の長さのうちの少なくとも１つが調整可能である、実施形態１から６のいずれか１つに記載のバックパック（１００、２００、３００）。
【００７２】
実施形態８
ａ．本体（２０５）と、
ｂ．少なくとも１つの緩衝肩ストラップ（２１０）と、
ｃ．少なくとも１つの緩衝肩ストラップ（２１０）の近位部分（２１２）を本体（２０５）にそれぞれ接続する少なくとも２つの結合ストラップ（２３０）と
を備え、
ｄ．少なくとも２つの結合ストラップ（２３０）が、少なくとも１つの緩衝肩ストラップ（２１０）の近位部分（２１２）の位置を調整するように適合される、
バックパック（２００）。
【００７３】
実施形態９
少なくとも２つの結合ストラップ（２３０）が、少なくとも１つの緩衝肩ストラップ（２１０）の長手方向の伸張に直交する横方向に対して、少なくとも１つの緩衝肩ストラップ（２１０）の近位部分（２１２）の位置を調整するように適合される、実施形態８に記載のバックパック（２００）。
【００７４】
実施形態１０
少なくとも２つの結合ストラップ（２３０）が、第１および第２の結合固定部（２３１）において本体（２０５）に接続される、実施形態８または９に記載のバックパック（２００）。
【００７５】
実施形態１１
結合固定部のうちの少なくとも１つが、本体（２０５）の内表面上に配置される、実施形態１０に記載のバックパック（２００）。
【００７６】
実施形態１２
少なくとも２つの結合ストラップ（２３０）が、本体（２０５）から少なくとも１つの緩衝肩ストラップ（２１０）の近位部分（２１２）まで延在して本体（２０５）に戻る単一のストラップとして設けられる、実施形態８から１１のいずれか１つに記載のバックパック（２００）。
【００７７】
実施形態１３
結合ストラップ（２３０）の第１および第２の対を備え、第１の対が、第１の緩衝肩ストラップ（２１０）の近位部分（２１２）と本体（２０５）とに接続され、第２の対が、第２の緩衝肩ストラップ（２１０）の近位部分（２１２）と本体（２０５）とに接続される、実施形態８から１２のいずれか１つに記載のバックパック（２００）。
【００７８】
実施形態１４
第１の対の結合ストラップが、第２の対の結合ストラップに接続される、実施形態１３に記載のバックパック（２００）。
【００７９】
実施形態１５
接続が、本体（２０５）の内表面上に配置される、実施形態１４に記載のバックパック（２００）。
【００８０】
実施形態１６
少なくとも２つの結合ストラップ（２３０）の長さのうちの少なくとも１つが調整可能である、実施形態８から１５のいずれか１つに記載のバックパック（２００）。
【００８１】
実施形態１７
実施形態８から１６のいずれか１つに記載の特徴をさらに備える、実施形態１から７のいずれか１つに記載のバックパック。
【００８２】
実施形態１８
本体（１０５、２０５）が、背面パネル（２６０）を備える、実施形態１から１７のいずれか１つに記載のバックパック（１００、２００）。
【００８３】
実施形態１９
少なくとも２つの緩衝肩ストラップ（２１０）、および少なくとも２つの緩衝肩ストラップ（２１０）を接続する少なくとも１つの支持ストラップ（１５０、２５０、３５０）を備える、実施形態１から１８のいずれか１つに記載のバックパック。
【００８４】
図に示されたまたは上記で説明された構成要素、ならびに図示または説明されていない構成要素およびステップの、様々な構成が可能である。同様に、いくつかの特徴および部分的組合せが有用であり、他の特徴および部分的組合せに関係なく用いられ得る。本発明の実施形態は、例示的かつ非限定的な目的のために説明されたものであり、本特許の読者には代替的実施形態が明らかになるであろう。したがって、本発明は、上記で説明されたまたは図に示された実施形態に限定されるものではなく、以下の特許請求の範囲に記載の範囲から逸脱することなく、様々な実施形態および修正形態が作られ得る。
【符号の説明】
【００８５】
１００  バックパック
１０２  装着者
１０３  腕
１０５  本体
１１０  緩衝肩ストラップ
１２０  安定ストラップ
１２１ａ  第１の安定固定部
１２１ｂ  第２の安定固定部
１５０  支持ストラップ
２００  バックパック
２０５  本体
２０６  領域
２１０  緩衝肩ストラップ
２１１  遠位部分
２１２  近位部分
２２０  安定ストラップ
２２１ａ  第１の安定固定部
２２１ｂ  第２の安定固定部
２３０  結合ストラップ
２３１  第２の結合固定部
２５０  支持ストラップ
２５５  持ち手
２６０  背面パネル
２７０  突出部または開口部
２８０  ジッパ
２９０  腰ベルト
３００  バックパック
３１０  緩衝肩ストラップ
３２０  安定ストラップ
３２１ａ  第１の安定固定部
３２１ｂ  第２の安定固定部
３５０  支持ストラップ
【図１】
2018134390.tif 000003
【図２Ａ】
2018134390.tif 000004
【図２Ｂ】
2018134390.tif 000005
【図２Ｃ】
2018134390.tif 000006
【図３】
2018134390.tif 000007
【外国語明細書】
2018134390000001.pdf